(57)【要約】      （修正有）【課題】内部パワーピンと一体となったｅＳＡＴＡソケットを提供する。【解決手段】ＤＣピンと一体になったエクスターナル・シリアル・アドバンスト・テクノロジー・アタッチメント（ｅＳＡＴＡ）ソケットが、本体と、ｅＳＡＴＡ端子セットと、電力端子セットと、金属ハウジングとを有する。本体の前面は開口グルーブを備えるように形成されており、接続プレートの第１の表面にｅＳＡＴＡ端子セットが取り付けられるように、この開口グルーブから接続プレートが突き出ている。本体は金属ハウジングで覆われている。本体の上にある開口グルーブの対向する２つの側壁には、それぞれ、ｅＳＡＴＡ端子セットと一致する高さのところでさらにｅＳＡＴＡ端子セットと平行になるようにパワーピンが設けられ、パワーピンは外部電源にハンダ付けされる。【選択図】図１
0003148109.tif 000002
【実用新案登録請求の範囲】
【請求項１】
本体であって、前記本体の内側に画定される開口グルーブを備える前面、および、前記開口グルーブの背面壁から前方に突き出ている接続プレート、を有する本体と、
水平に配置された複数のピンを有するｅＳＡＴＡ端子セットであって、前記ピンの前方電気接続区間が前記接続プレートの第１の表面上にある複数の位置決めグルーブ内に取り付けられ、さらに、前記ピンの後方ハンダ付け区間が、ハンダ付けのために、前記開口グルーブの前記背面壁を貫通している、ｅＳＡＴＡ端子セットと、
前記開口グルーブの対向する２つの側壁上の前記ｅＳＡＴＡ端子セットと一致する高さのところに取り付けられた２つのパワーピンを有する電力端子セットであって、前記パワーピンのそれぞれが、外部電源とのハンダ付けのために前記開口グルーブの前記背面壁を後方へ貫通している後端を有する、電力端子セットと、
結果として前記開口グルーブおよび前記ｅＳＡＴＡ端子セットの後方ハンダ付け区間が露出するように前記本体を覆っている金属ハウジングと
を有する、
ＤＣピンと一体になったエクスターナル・シリアル・アドバンスト・テクノロジー・アタッチメント（ｅＳＡＴＡ）ソケット。
【請求項２】
前記ｅＳＡＴＡ端子セットの反対側にある、チップの第２の表面上に配置される複数の端子を有するＵＳＢ端子セットをさらに有し、各ＵＳＢ端子が、ハンダ付けのために前記開口グルーブの前記背面壁を後方へ貫通している後端を有する、請求項１に記載のｅＳＡＴＡソケット。
【請求項３】
前記ｅＳＡＴＡ端子セットの一部の前記ピンの前端が、前記接続プレートの前記第２の表面を貫通しておりさらにそれぞれが梯子部を備えるように形成される、請求項２に記載のｅＳＡＴＡソケット。
【請求項４】
前記ｅＳＡＴＡ端子セットが前記接続プレートの前記第１の表面上に取り付けられる、請求項１に記載のｅＳＡＴＡソケット。
【請求項５】
前記ｅＳＡＴＡ端子セットが前記チップの前記第１の表面上に取り付けられ、中央にある５つの前記ピンの前記前端が前記梯子部を備えるようにそれぞれ形成され、前記５つの梯子部が前記接続プレートを下向きに貫通しさらに前記接続プレートの前記第２の表面の前端のところで露出しており、前記ＵＳＢ端子セットの前記端子が前記チップの前記第２の表面上に配置される、請求項３に記載のｅＳＡＴＡソケット。
【請求項６】
前記接続プレートの前記ｅＳＡＴＡ端子セットと一致する高さのところにある、前記本体の対向する２つの側部が、前記２つの電力端子を取り付けるために前記開口グルーブと連通している摺動グルーブを備えるように後方から前方にそれぞれ形成される、請求項４に記載のｅＳＡＴＡソケット。
【請求項７】
前記接続プレートの前記ｅＳＡＴＡ端子セットと一致する高さのところにある、前記本体の対向する２つの側部が、前記２つの電力端子を取り付けるために前記開口グルーブと連通している摺動グルーブを備えるように後方から前方にそれぞれ形成される、請求項５に記載のｅＳＡＴＡソケット。
【請求項８】
前記電力端子のそれぞれのサイズが、前記ｅＳＡＴＡ端子セットの前記ピンのサイズより大きい、請求項６に記載のｅＳＡＴＡソケット。
【請求項９】
前記電力端子のそれぞれのサイズが、前記ｅＳＡＴＡ端子セットの前記ピンのサイズより大きい、請求項７に記載のｅＳＡＴＡソケット。
【請求項１０】
前記摺動グルーブおよび前記電力端子のそれぞれの断面がＵ形である、請求項８に記載のｅＳＡＴＡソケット。
【請求項１１】
前記摺動グルーブおよび前記電力端子のそれぞれの断面がＵ形である、請求項９に記載のｅＳＡＴＡソケット。
【請求項１２】
前記接続プレートの前記第１の表面が、取り付けられる前記ｅＳＡＴＡ端子セットの前記対応するピンのための複数の平行な位置決めグルーブをその中にさらに備えるように形成される、請求項１０に記載のｅＳＡＴＡソケット。
【請求項１３】
前記接続プレートの前記第１の表面が、取り付けられる前記ｅＳＡＴＡ端子セットの前記対応するピンのための複数の平行な位置決めグルーブをその中にさらに備えるように形成される、請求項１１に記載のｅＳＡＴＡソケット。
【請求項１４】
前記本体の後方側部には、前記ｅＳＡＴＡ端子セットの前記ピンおよび前記ＵＳＢ端子セットの前記端子が貫通するための複数の通しグルーブを備えるように形成される端子台がさらに設けられる、請求項２に記載のｅＳＡＴＡソケット。
【請求項１５】
前記本体の後方側部には、前記ｅＳＡＴＡ端子セットの前記ピンおよび前記ＵＳＢ端子セットの前記端子が貫通するための複数の通しグルーブを備えるように形成される端子台がさらに設けられる、請求項３に記載のｅＳＡＴＡソケット。
【考案の詳細な説明】
【技術分野】
【０００１】
本考案はｅＳＡＴＡ（エクスターナル・シリアル・エーティーエー）ソケットに関し、詳細には、ＤＣピンと一体になったｅＳＡＴＡソケットに関する。
【背景技術】
【０００２】
コンピュータとコンピュータ周辺機器との間で効果的にデータを送信するために、種々の通信プロトコル標準を使用するコネクタが存在する。コンピュータ製品が小型化している趨勢を鑑み、コネクタもより薄型になる。具体的には、シリアル転送のコネクタが最も一般的である。これらのコネクタには、エクスターナル・シリアル・アドバンスト・テクノロジー・アタッチメント（エクスターナル・シリアル・エーティーエー）（ｓｅｒｉａｌ  ａｄｖａｎｃｅｄ  ｔｅｃｈｎｏｌｏｇｙ  ａｔｔａｃｈｍｅｎｔ（ｅＳＡＴＡ））、ユニバーサル・シリアル・バス（ユーエスビー）（ＵＳＢ）などが含まれる。
【０００３】
ＵＳＢコネクタはそのプロトコル標準に従った２つのＤＣ端子を有するため、ＵＳＢコネクタを使用するコンピュータ周辺機器は付加的な外部電源を必要としない。したがって、コンピュータ周辺機器は、コンピュータのＵＳＢコネクタに差し込まれた後に動作電力を得ることができる。これは非常に便利である。ｅＳＡＴＡコネクタは、その独自のプロトコル標準により、通常に機能するためには外部電源を必要とする。しかし、ｅＳＡＴＡプロトコル標準はＵＳＢプロトコル標準より優れている。したがって、ｅＳＡＴＡコネクタは、コンピュータおよびコンピュータ周辺機器において広く普及している。外部電源を設計することは、ｅＳＡＴＡコネクタを使用する製品のコストを増大させさらにはその製品の小型化を困難なものとする。したがって、ｅＳＡＴＡコネクタをさらに改良する必要がある。
【考案の開示】
【考案が解決しようとする課題】
【０００４】
上記に鑑み、本考案の目的は、内部パワーピンと一体となったｅＳＡＴＡソケットを提供することである。
【課題を解決するための手段】
【０００５】
上記の目的を達成するために、開示したｅＳＡＴＡソケットは、本体と、ｅＳＡＴＡ端子セット、電力端子セットと、金属ハウジングとを有する。本体は、内側に開口グルーブを備えるように形成される前面を有する。接続プレートが開口グルーブの背面壁から突き出ている。ｅＳＡＴＡ端子セットは、水平に配置される７つのピンを有する。各ピンの前方電気接続区間が、本体の上部にある接続プレートの第１の表面上に固定される。各ピンの後方ハンダ付け区間が、ハンダ付けのために、開口グルーブの背面壁を貫通して突き出ている。電力端子セットは、開口グルーブの対向する２つの側壁上に配置される２つのパワーピンを有する。これらはｅＳＡＴＡ端子セットの７つのピンと平行である。各パワーピンの後端も、外部電源（２４Ｖ未満のＤＣ電源）とのハンダ付け接続のために、開口グルーブの背面壁を貫通して突き出ている。金属ハウジングが本体を覆っているが、開口グルーブおよびｅＳＡＴＡ端子セットの後方ハンダ付け区間は露出している。
【０００６】
本体開口グルーブの２つの側壁は電力端子セットのところに位置される。この構造体に適合しているｅＳＡＴＡコネクタが挿入された後、電力端子セットがｅＳＡＴＡコネクタに直接に動作電力を供給する。外部電源との接続のためのワイヤおよびコストを節約することに加えて、これは使用において非常に便利である。
【０００７】
本考案の別の目的は、ＵＳＢ端子セットと一体となったｅＳＡＴＡソケットを提供することである。ＵＳＢ端子セットの端子はチップの第２の表面上に配置される。これらは、５ＶのＤＣ電力を供給する２つの端子を有する。この構造体に適合しているｅＳＡＴＡコネクタが挿入されている場合、ｅＳＡＴＡコネクタは、ＵＳＢ端子セットの５ＶのＤＣ電力とｅＳＡＴＡ端子セットの両側面上にある２つのピンによって供給される２４Ｖ未満のＤＣ電力とを同時に使用することができる。
【０００８】
本考案の別の目的は、２つの異なるＵＳＢプロトコル標準を組み込むｅＳＡＴＡソケットを提供することである。接続プレートの第２の表面には、一方のＵＳＢプロトコル標準の端子セットが設けられる。７つのｅＳＡＴＡピンのうちのいくつかのピンは、他方のＵＳＢプロトコル標準の端子として使用される。この構造体に適合しているｅＳＡＴＡコネクタが挿入されている場合、ｅＳＡＴＡコネクタは、接続プレートの第２の表面上にあるＵＳＢ端子セットによって供給される５ＶのＤＣ電力とｅＳＡＴＡ端子セットの両側面上にある２つのピンによって供給される２４ＶのＤＣ電力とを同時に使用することができる。
【考案を実施するための最良の形態】
【０００９】
図１、２Ａ、２Ｂおよび３を参照すると、本考案によるエクスターナル・シリアル・アドバンスト・テクノロジー・アタッチメント（ｅＳＡＴＡ）ソケット１０の第１の実施形態が、本体１１、ｅＳＡＴＡ端子セット２０、電力端子セット、および、金属ハウジング１３を有する。
【００１０】
本体１１は、内側に開口グルーブ１１１を備えるように形成される前面を有する。接続プレート１２が開口グルーブ１１１の背面壁１１２から突き出ている。接続プレート１２の第１の表面が、７つの平行な位置決めグルーブ１２１を備えるように下向きに形成される。この実施形態では、接続プレート１２の第１の表面に対応して、２つの摺動グルーブ１１３が、それぞれ、本体１１の両側面上に後方から前方にかけて形成されており、開口グルーブ１１１と連通している。それぞれの摺動グルーブ１１３の断面はＵ形である。
【００１１】
ｅＳＡＴＡ端子セット２０は、水平に配置される７つのピン２１を有する。各ピン２１は、前方電気接続区間２１１および後方ハンダ付け区間２１２を有する。各ピン２１の前方電気接続区間２１１は、接続プレート１２の第１の表面上にある位置決めグルーブ１１３に取り付けられる。後方ハンダ付け区間２１２は、ハンダ付け接続のために、開口グルーブ１１１の背面壁１１２を貫通して外側へ突き出ている。
【００１２】
電力端子セットは、開口グルーブ１１１の対向する２つの側壁にそれぞれ取り付けられておりかつｅＳＡＴＡ端子セット２０の７つのピン２１と平行である２つのパワーピン２２を有する。各パワーピン２２の後端もやはり、外部電源（２４Ｖ未満のＤＣ電源）とのハンダ付けのために、開口グルーブ１１１の背面壁１１２を貫通している。ｅＳＡＴＡプロトコルは、７つのピン２１によって伝送される電圧および電流より大きい２４Ｖ未満のＤＣ電圧を使用することから、各パワーピン２２の容量は、より強い電力を伝えるためにｅＳＡＴＡ端子セット２０の各ピン２１の容量より大きい。この実施形態では、各パワーピン２２の断面はＵ形である。各パワーピン２２の後端はハンダ付け区間２２１として下向きに形成される。その結果、２つのパワーピン２２が、後方から前方に向かって摺動グルーブ１１３に挿入されて本体１１に接続される。
【００１３】
金属ハウジング１３が本体１１を覆っている。開口グルーブ１１１およびｅＳＡＴＡ端子セット２０内にある各ピン２１の後方ハンダ付け区間２１２は露出している。
【００１４】
図４から６を参照すると、本考案によるｅＳＡＴＡソケットの第１の実施形態がｅＳＡＴＡコネクタ４０に接続される。コネクタ４０は、その基部４１内に７つの平行なｅＳＡＴＡ信号端子４３を有する。各ｅＳＡＴＡ信号端子４３の前方電気接続区間は湾曲しておりさらに可撓性である。各ｅＳＡＴＡ信号端子の後端は、ハンダ付けのために、基部４１の背面を貫通して突き出ている。基部４１は金属ハウジング４２で覆われている。基部４１の対向する２つの側壁は、それぞれ、断面がＵ形である電力端子４４を備えるように形成される。各電力端子４４の容量はｅＳＡＴＡ信号端子４３より大きい。
【００１５】
このコネクタ４０がソケット１０に挿入されている場合、７つの内部ｅＳＡＴＡ信号端子４３の前方電気接続区間は、接続プレート１２内に差し込まれて接続プレート１２の７つのピン２１と接触しているため、上側を向いている。電力端子４４は基部４１の対向する２つの側壁上に配置されているので、図７に示すように、ソケット１０の開口グルーブ１１１の２つの側壁上にあるパワーピン２２と接触する。それにより、電力端子４４は簡便に動作電力を得る。
【００１６】
図８Ａ、８Ｂ、９Ａ、９Ｂおよび１０を参照すると、ソケット１０ａの第２の実施形態は第１の実施形態と基本的に同じである。しかし、ソケット１０ａはＵＳＢ端子セットとも一体となっており、ツーインワン（ｔｗｏ−ｉｎ−ｏｎｅ）の電気コネクタを形成する。この実施形態における接続プレート１２ａの７つの位置決めグルーブ１２１は、ｅＳＡＴＡ端子セット２０の７つのピン２１を取り付けるために、接続プレート１２の第２の表面上に形成される。また、電力端子２２が、接続プレート１２ｂの第２の表面上にあるｅＳＡＴＡ端子セット２０と一致する高さのところで開口グルーブ１１１の対向する２つの側壁上に配置される。
【００１７】
第２の実施形態における接続プレート１２ａは、後方から前方に突き出る４つの平行なチャネル１２２をさらに備えるように形成される。接続プレート１２ａの前面は、それぞれのチャネル１２２に対応している４つの開口部を備えるように形成される。接続プレート１２ａの第１の表面は、４つの平行なロンググルーブ１２３を備えるように形成される。
【００１８】
さらに、ＵＳＢ端子セット３０が、本体１１内に取り付けられる４つのＵＳＢ端子３１を有する。各ＵＳＢ端子３１の前方接続区間はロンググループ１２３に対応するように取り付けられる。加えて、各ＵＳＢ端子３１の前方接続区間は、上向きに湾曲した部分３１１を備えるように形成される。上向きに湾曲した部分３１１に圧力が加えられると、上向きに湾曲した部分３１１は押し下げられて前方に延長するようになる。その結果、チャネル１２２の前端が、変形したすべての端子３１を前方に延長させるための空間を形成する。ＵＳＢ端子セット３０の各端子３１の後方ハンダ付け区間３１２は、グルーブ１１１の背面壁１１２を貫通して下向きに湾曲している。ｅＳＡＴＡ端子セット２０の各ピン２１の後方ハンダ付け区間２１２もやはり下向きに湾曲している。ｅＳＡＴＡ端子セット２０のピン２１およびＵＳＢ端子セット内にある端子３１の後方ハンダ付け区間３１２を固定するために、この実施形態は、１１個の長手方向グルーブ１４１を備えるように形成される端子台１４を有する。端子台１４が本体１１の後方側部に下から上向きに組み合わせされる場合、１１個の下向きに湾曲する後方ハンダ付け区間２１２、３１２は、対応する長手方向グルーブ１４１を貫通してそれ自体を下方向に露出させる。
【００１９】
図１１、１２および１３を参照すると、第２の実施形態は、やはりｅＳＡＴＡ端子セットとＵＳＢ端子セットとを有するツーインワンの電気コネクタ４０ａに適合することができる。ツーインワインの電気コネクタ４０ａは、４つのＵＳＢ第１信号端子４５と、接続台４１の内側の上部および底部にそれぞれ配置される７つのｅＳＡＴＡ信号端子４３とを有する。各ｅＳＡＴＡ信号端子４３の前方電気接続区間は湾曲しておりさらに可撓性である。それぞれのＵＳＢ第１信号端子４５は平坦である。基部４１の対向する２つの外側側面には、断面がＵ形である２つの電力端子４４が設けられる。各電力端子４４のサイズもやはり、ＵＳＢ第１信号端子４５およびｅＳＡＴＡ信号端子４３より大きい。コネクタ４０ａが第２の実施形態のソケット１０ａに挿入されている場合、接続プレート１２ａがＵＳＢ第１信号端子４５とｅＳＡＴＡ信号端子４３とを分離する。ＵＳＢ第１信号端子４５は、接続プレート１２ａの第１の表面上にあるＵＳＢ端子３１に接触する。ｅＳＡＴＡ信号端子４３は、接続プレート１２ａの第２の表面上にあるｅＳＡＴＡ端子セット２０の対応するピン２１に接触する。電力端子４４が基部４１の対向する２つの外側側壁上に位置されると、電力端子４４は、開示したソケット１０ａ内の開口グルーブの２つの側壁上にあるパワーピン２２に接触する。図１４に示すように、コネクタ４０ａは、開示したソケット１０ａのＵＳＢ端子セットによって供給される、マザーボードで設定される５ＶのＤＣ電力、さらには、別のセットによって供給される２４Ｖ未満のＤＣ電力を同時に得ることができる。それにより、ｅＳＡＴＡコネクタ４０ａは十分な動作電力を簡便に得る。
【００２０】
図１５Ａ、１５Ｂ、１６および１７を参照すると、これらの図面に示した開示したソケット１０ｂの第３の実施形態は第１の実施形態と基本的に同じである。しかし、第３の実施形態は２つの異なるＵＳＢプロトコル標準を使用する。一方はＵＳＢ２．０プロトコル標準に適合しており、他方はＵＳＢ３．０プロトコル標準に適合している。したがって、この実施形態はスリーインワン（ｔｈｒｅｅ−ｉｎ−ｏｎｅ）の電気コネクタである。
【００２１】
この実施形態では、接続プレート１２ｂの第２の表面が、後方から前方への４つの平行なロンググルーブ１２４と前方から後方への５つの平行なショートグルーブ１２５とを備えるように形成される。ショートグルーブ１２５はロンググルーブ１２４とは連通していないが、接続プレート１２ｂの第１の表面の５つの平行な中間位置決めグルーブ１２１と連通している。また、ｅＳＡＴＡ端子セット２０の７つのピン１２１のうちの中央にある５つのピン２１が、下向きに湾曲する梯子部２１３を前方に形成する。７つのピン２１が、接続プレート１２ｂの第１の表面上にある位置決めグルーブ１２１内に位置されると、中央にある５つのピン１２１の下向きに湾曲する梯子部２１３は、接続プレート１２ｂを貫通し、接続プレート１２ｂの第２の表面上にある対応するショートグルーブ１２５から露出する。この５つの下向きに湾曲する梯子部２１３はＵＳＢ３．０端子として使用される。したがって、これらは、ｅＳＡＴＡ端子セットの５つのピンとしても使用されてよい。
【００２２】
また、この実施形態のＵＳＢ２．０端子セットは４つのＵＳＢ端子３１を有する。ＵＳＢ端子３１のそれぞれの前方接続区間は、接続プレート１２ｂの第２の表面上にある対応するロンググルーブ１２４内に位置され、下向きに湾曲して湾曲部３１３を形成する。各ＵＳＢ端子３１の後方ハンダ付け区間３１２は、本体１１の開口グルーブ１１１の背面壁を貫通して下方向に湾曲している。ｅＳＡＴＡ端子セット内にある各ピン２１の後方ハンダ付け区間２１２は、本体の背面壁を貫通して下方向に湾曲している。ｅＳＡＴＡ端子セットのピンおよびＵＳＢ２．０端子セットの端子のそれぞれの後方ハンダ付け区間２１２、３１２を組み立てるために、この実施形態は、１１個の縦通しグルーブ１４１を備えるように形成される端子台１４を有する。端子台１４が本体１１の後方部分に下から上向きに組み合わせられる場合、１１個の下向きに湾曲する後方ハンダ付け区間２１２、３１２は、対応する通しグルーブ１４１を貫通してそれ自体を下方向に露出させる。
【００２３】
図１８、１９Ａ、１９Ｂおよび２０を参照すると、第３の実施形態が、１つのｅＳＡＴＡ端子セットおよび２つのＵＳＢ端子セットを有するスリーインワンのコネクタ４０ｂの挿入用に使用される。
【００２４】
コネクタ４０ｂの基部４１の内部には、上から下に向かって、７つのｅＳＡＴＡ信号端子４３と、５つのＵＳＢ３．０第２信号端子４６と、４つのＵＳＢ２．０第１信号端子４５とが配置される。それぞれのｅＳＡＴＡ信号端子４３は湾曲している。各ＵＳＢ３．０第２信号端子４６の前方電気接続区間は上向きに傾斜しており、その前端において上向きに湾曲する部分４６１を形成している。これらはｅＳＡＴＡ信号端子４３より短い。ＵＳＢ２．０第１信号端子４５の各第１信号端子４５の中央から前方までの部分は、上側梯子部４５１を上部に備えるように形成されており、この上側梯子部４５１はＵＳＢ３．０第２信号端子４６と高さが一致しているがＵＳＢ３．０第２信号端子４６より短い。また、基部４１の対向する２つの外側側面上の、ｅＳＡＴＡ信号端子４３と高さが一致するところに、断面がＵ形の２つの電力端子４４が存在する。各電力端子４４の容量は、ＵＳＢ信号端子およびｅＳＡＴＡ信号端子のそれぞれの容量より大きい。
【００２５】
このコネクタ４０ｂが第３の実施形態の開示したソケット１０ｂに挿入されている場合、接続プレート１２ｂがｅＳＡＴＡ信号端子４３を上向きに押し込みさらにＵＳＢ３．０およびＵＳＢ２．０信号端子を下向きに押し込む。それにより、これらの端子が、接続プレート１２ｂの第２の表面上にある５つの下向きに湾曲する梯子部２１３およびＵＳＢ２．０端子セットの４つの端子３１のうちのそれぞれ対応したものと接触する。
【００２６】
電力端子４４が基部４１の対向する２つの外壁上に配置されていることから、電力端子４４は、図２１に示すように、開示したソケット１０ｂの開口グルーブ１１１の２つの側壁上にあるパワーピン２２と接触する。開示したソケット１０ｂのＵＳＢ端子セットによってマザーボードの設定通りに供給される５ＶのＤＣ電力を得ることに加えて、コネクタ４０ｂはさらに別途の２４Ｖより低いＤＣ電力を得ることができ、それにより、ｅＳＡＴＡコネクタ４０ａが十分な使用電圧を有することが可能となる。
【００２７】
要約すると、本考案は、本体開口グルーブの対向する２つの側壁上の、ｅＳＡＴＡ端子セットと一致する高さのところに、電力端子セットを設けることを特徴とする。この構造体に適合しているｅＳＡＴＡコネクタが挿入されると、電力端子セットがｅＳＡＴＡコネクタに動作電力を直接に供給する。本考案は、外部電源との接続のためのワイヤおよびコストを節約するだけでなく、使用時において非常に便利である。
【図面の簡単な説明】
【００２８】
【図１】本考案のｅＳＡＴＡソケットの第１の実施形態に従った分解斜視図である。
【図２Ａ】図１の第１の実施形態の斜視図である。
【図２Ｂ】図１の第１の実施形態の斜視図である。
【図３】図１のｅＳＡＴＡソケットの正面図である。
【図４】ｅＳＡＴＡコネクタに適合している本考案の斜視図である。
【図５】図４の分解斜視図である。
【図６】ｅＳＡＴＡコネクタに接続されている本考案の横断面図である。
【図７】ｅＳＡＴＡコネクタに接続されている本考案の長手方向の断面図である。
【図８Ａ】本考案のｅＳＡＴＡソケットの第２の実施形態に従った分解斜視図である。
【図８Ｂ】本考案のｅＳＡＴＡソケットの第２の実施形態に従った分解斜視図である。
【図９Ａ】図８Ａの組み立てられたｅＳＡＴＡソケットの斜視図である。
【図９Ｂ】図８Ｂの組み立てられたｅＳＡＴＡソケットの斜視図である。
【図１０】図８Ａの正面図である。
【図１１】ｅＳＡＴＡソケットおよびｅＳＡＴＡコネクタの第２の実施形態の分解底面斜視図である。
【図１２】図１１の分解斜視図である。
【図１３】ｅＳＡＴＡコネクタに接続される本考案によるｅＳＡＴＡソケットの第２の実施形態の横断面図である。
【図１４】ｅＳＡＴＡコネクタが挿入された第２の実施形態の長手方向の部分断面図である。
【図１５Ａ】本考案によるｅＳＡＴＡソケットの第３の実施形態の分解斜視図である。
【図１５Ｂ】本考案によるｅＳＡＴＡソケットの第３の実施形態の分解斜視図である。
【図１６】図１５Ａの底面斜視図である。
【図１７】図１５Ａの正面図である。
【図１８】ｅＳＡＴＡコネクタに接続された第３の実施形態の斜視図である。
【図１９Ａ】図１８の分解斜視図である。
【図１９Ｂ】図１８の分解斜視図である。
【図２０】第３の実施形態および分離しているｅＳＡＴＡコネクタの横断面図である。
【図２１】ｅＳＡＴＡに接続される第３の実施形態の長手方向の部分断面図である。
【符号の説明】
【００２９】
１０、１０ａ  ｅＳＡＴＡソケット
１１  本体
１２、１２ａ、１２ｂ  接続プレート
１３、４２  金属ハウジング
２０  ｅＳＡＴＡ端子セット
２１  ピン
２２  パワーピン
３０  ＵＳＢ端子セット
３１  ＵＳＢ端子
４０  ｅＳＡＴＡコネクタ
４０ａ  電気コネクタ
４０ｂ  コネクタ
４１  基部
４３  ｅＳＡＴＡ信号端子
４４  電力端子
４５  ＵＳＢ第１信号端子
４６  ＵＳＢ３．０第２信号端子
１１１  開口グルーブ
１１２  背面壁
１１３  摺動グルーブ
１２１  位置決めグルーブ
１２２  チャネル
１２３、１２４  ロンググルーブ
１２５  ショートグルーブ
１４１  長手方向グルーブ
２１１  前方電気接続区間
２１２、３１２  後方ハンダ付け区間
２１３  梯子部
３１１  上向きに湾曲した部分
４６１  上向きに湾曲する部分
【図１】
0003148109.tif 000003
【図２Ａ】
0003148109.tif 000004
【図２Ｂ】
0003148109.tif 000005
【図３】
0003148109.tif 000006
【図４】
0003148109.tif 000007
【図５】
0003148109.tif 000008
【図６】
0003148109.tif 000009
【図７】
0003148109.tif 000010
【図８Ａ】
0003148109.tif 000011
【図８Ｂ】
0003148109.tif 000012
【図９Ａ】
0003148109.tif 000013
【図９Ｂ】
0003148109.tif 000014
【図１０】
0003148109.tif 000015
【図１１】
0003148109.tif 000016
【図１２】
0003148109.tif 000017
【図１３】
0003148109.tif 000018
【図１４】
0003148109.tif 000019
【図１５Ａ】
0003148109.tif 000020
【図１５Ｂ】
0003148109.tif 000021
【図１６】
0003148109.tif 000022
【図１７】
0003148109.tif 000023
【図１８】
0003148109.tif 000024
【図１９Ａ】
0003148109.tif 000025
【図１９Ｂ】
0003148109.tif 000026
【図２０】
0003148109.tif 000027
【図２１】
0003148109.tif 000028